(57)【要約】【課題】容易にネットワークパラメータを設定すること。【解決手段】実施形態に係る電子機器は、電子装置である照明装置と、第１の通信装置である通信アダプタ１２０とを含む。照明装置は、検知部１１６と通信機器制御部１１７を具備する。検知部１１６は、照明装置に対する制御を行うための所定機器であるスイッチの操作状態を示すパターンから、所定のパターンを検知する。通信機器制御部１１７は、検知部１１６により所定のパターンが検知された場合には、ネットワークパラメータを設定するように、通信アダプタ１２０を制御する。通信アダプタ１２０は、第１の通信部である無線通信回路を具備する。無線通信回路は、設定されたネットワークパラメータに基づいて他の通信装置である他の通信アダプタと通信を行う。【選択図】図４
2014179801.tif 000002
【特許請求の範囲】
【請求項１】
電子装置と通信装置とを含む電子機器であって、
前記電子装置は、
前記電子装置に対する制御を行うための所定機器の操作状態を示すパターンから、所定のパターンを検知する検知部と；
前記検知部により前記所定のパターンが検知された場合には、ネットワークパラメータを設定するように前記通信装置を制御する制御部と；
を具備し、
前記通信装置は、
設定されたネットワークパラメータに基づいて他の通信装置と通信を行う第１の通信部；
を具備する電子機器。
【請求項２】
前記検知部は、
商用電源から前記電子機器への電力の供給を制御するためのスイッチであって壁に設けられたスイッチの操作状態を示すパターンから、前記スイッチの通常の操作における操作状態を示すパターンとは異なるような前記所定のパターンを検知する、
請求項１に記載の電子機器。
【請求項３】
前記検知部は、
前記電子装置へ指示を送信するリモートコントローラに設けられたボタンの操作状態を示すパターンから、前記ボタンの通常の操作における操作状態を示すパターンとは異なるような前記所定のパターンを検知する、
請求項１に記載の電子機器。
【請求項４】
前記制御部は、前記検知部により前記所定のパターンが検知された場合には、ペアリングを行う指示を前記通信装置に送信し、
前記第１の通信部は、ペアリングの結果に基づいて前記他の通信装置と通信を行う
請求項１〜３のいずれか１項に記載の電子機器。
【請求項５】
前記電子装置は、更に、他の電子機器との通信を行う第２の通信部；
を具備し、
前記通信装置制御部は、前記検知部により前記所定のパターンが検知された場合には、前記電子機器及び前記他の電子機器のそれぞれについて、乱数を発生させ、発生された乱数を仮のアドレスとして設定し、設定された仮のアドレスを前記第２の通信部に送信し、
前記第２の通信部は、前記通信装置制御部から送信された前記仮のアドレスに基づいて前記他の電子機器と通信を行う
請求項１〜４のいずれか１項に記載の電子機器。
【発明の詳細な説明】
【技術分野】
【０００１】
本発明の実施形態は、電子機器に関する。
【背景技術】
【０００２】
近年、宅内に設置された電化製品などの電子機器を遠隔操作することを可能にするホームネットワークシステムが知られている。このようなホームネットワークシステムでは、ネットワーク経由で電子機器の動作状態や消費電力などが監視され、ネットワーク経由で電子機器に制御信号が送信されることで電子機器の動作状態が制御される。このため、ホームネットワークシステムに対応する電子機器は、ネットワークを介した通信を行う通信機能を有する。例えば、電子機器には、宅内に設置されたアクセスポイントと通信を行うための通信アダプタが設けられる。通信アダプタとアクセスポイントとは、例えば、Ｂｌｕｅｔｏｏｔｈ（登録商標）等の近距離無線通信規格によって通信が行われる。
【０００３】
ここで、上述した通信アダプタとアクセスポイントとの通信を行う場合には、次のような作業が行われる。すなわち、通信アダプタに設けられたペアリングモード用のボタンを、ユーザが押下するなどして、通信アダプタをペアリングモードに移行させて、通信アダプタとアクセスポイントとをペアリングさせる作業が行われる。しかしながら、通信アダプタが設けられた電子機器が、例えば、天井に設けられた照明装置などである場合には、通信アダプタも天井に設けられることとなり、ユーザにとって通信アダプタが容易に届く範囲に存在しない。それゆえ、通信アダプタのボタンを押下することは、困難な作業である。このように、従来の電子機器では、ネットワークパラメータを設定することが困難な場合がある。
【０００４】
また、電子機器が他の電子機器と通信を行う場合、電子機器に端末を接続して、ユーザが端末を操作して、複数の電子機器のそれぞれの仮のアドレスを各電子機器に設定する場合がある。しかしながら、上述したように、電子機器が天井に設けられた照明装置などである場合には、容易に届く範囲内に存在しない電子機器に端末を接続することは、ユーザにとって困難な作業である。このように、仮のアドレスを各電子機器に設定する場合においても、従来の電子機器では、ネットワークパラメータを設定することが困難な場合がある。
【先行技術文献】
【特許文献】
【０００５】
【特許文献１】特開２０１２−１７５１４８号公報
【発明の概要】
【発明が解決しようとする課題】
【０００６】
本発明が解決しようとする課題は、容易にネットワークパラメータを設定することができる電子機器を提供することである。
【課題を解決するための手段】
【０００７】
実施形態に係る電子機器は、電子装置と通信装置とを含む。電子装置は、検知部と制御部とを具備する。検知部は、電子装置に対する制御を行うための所定機器の操作状態を示すパターンから、所定のパターンを検知する。制御部は、検知部により所定のパターンが検知された場合には、ネットワークパラメータを設定するように通信装置を制御する。通信装置は、第１の通信部を具備する。第１の通信部は、設定されたネットワークパラメータに基づいて他の通信装置と通信を行う。
【図面の簡単な説明】
【０００８】
【図１】図１は、第１の実施形態に係る家電機器制御システムの構成例を示す図である。
【図２】図２は、第１の実施形態に係る電子機器の構成例を模式的に示す図である。
【図３】図３は、所定のパターンの一例を示す図である。
【図４】図４は、第１の実施形態に係る照明装置が有する制御部の機能構成の一例を示す図である。
【図５】図５は、第１の実施形態に係る照明装置の制御部が実行するネットワークパラメータ設定処理の流れを示すフローチャートである。
【図６】図６は、第２の実施形態に係る家電機器制御システム１の構成例を示す図である。
【図７】図７は、第２の実施形態に係るリモートコントローラの一例を示す図である。
【図８】図８は、所定のパターンの一例について示す図である。
【図９】図９は、第２の実施形態に係る電子機器の構成例を模式的に示す図である。
【図１０】図１０は、第２の実施形態に係る照明装置が有する制御部の機能構成の一例を示す図である。
【図１１】図１１は、第２の実施形態に係る照明装置の制御部が実行するネットワークパラメータ設定処理の流れを示すフローチャートである。
【図１２】図１２は、第３の実施形態に係る家電機器制御システムの構成例を示す図である。
【図１３】図１３は、第２の実施形態に係る電子機器の構成例を模式的に示す図である。
【図１４】図１４は、第３の実施形態に係る照明装置が有する制御部の機能構成の一例を示す図である。
【図１５】図１５は、アドレステーブルのデータ構造の一例を示す図である。
【図１６】図１６は、第３の実施形態に係る照明装置の制御部が実行するネットワークパラメータ設定処理の流れを示すフローチャートである。
【発明を実施するための形態】
【０００９】
以下で説明する実施形態に係る電子機器１００は、電子装置である照明装置１１０と、第１の通信装置である通信アダプタ１２０とを含む。照明装置１１０は、検知部１１６と通信機器制御部１１７を具備する。検知部１１６は、照明装置１１０に対する制御を行うための所定機器であるスイッチ４２またはリモートコントローラ５００の操作状態を示すパターンから、所定のパターンを検知する。通信機器制御部１１７は、検知部１１６により所定のパターンが検知された場合には、ネットワークパラメータを設定するように、通信アダプタ１２０を制御する。通信アダプタ１２０は、第１の通信部である無線通信回路１２２を具備する。無線通信回路１２２は、設定されたネットワークパラメータに基づいて他の通信装置である他の通信アダプタと通信を行う。
【００１０】
また、以下で説明する実施形態に係る検知部１１６，３１３は、商用電源４１から電子機器１００への電力の供給を制御するためのスイッチ４２であって、壁に設けられたスイッチ４２の操作状態を示すパターンから、スイッチ４２の通常の操作における操作状態を示すパターンとは異なるような所定のパターンを検知する。
【００１１】
また、以下で説明する実施形態に係る検知部２１３，３１３は、電子装置２１０，３１０へ指示を送信するリモートコントローラ５００に設けられた全光ボタン５０１の操作状態を示すパターンから、全光ボタン５０１の通常の操作における操作状態を示すパターンとは異なるような所定のパターンを検知する。
【００１２】
また、以下で説明する実施形態に係る通信機器制御部１１７，２１４は、検知部１１６，２１３により所定のパターンが検知された場合には、ペアリングを行う指示を通信装置である通信アダプタ１２０に送信する。そして、無線通信回路１２２は、ペアリングの結果に基づいて他の通信アダプタと通信を行う。
【００１３】
また、以下で説明する実施形態に係る電子装置である照明装置３１０は、更に、他の電子機器との通信を行う第２の通信部である通信回路１１３を具備する。また、通信機器制御部３１４は、検知部３１３により所定のパターンが検知された場合には、電子機器３１０及び他の電子機器のそれぞれについて、乱数を発生させ、発生された乱数を仮のアドレスとして設定し、設定された仮のアドレスを通信回路１１３に送信する。通信回路１１３は、通信機器制御部３１４から送信された仮のアドレスに基づいて他の電子機器と通信を行う。
【００１４】
また、以下で説明する実施形態に係る所定のパターンは、最後がＯＮ（オン）となるようなパターンである。
【００１５】
以下、図面を参照して、各実施形態に係る電子機器を説明する。各実施形態において同一の部位には同一の符号を付し、重複する説明は省略される。なお、以下の実施形態で説明する電子機器は、一例を示すに過ぎない。例えば、以下の実施形態では、電子機器が照明器具であるものとして説明するが、これに限らず、電子機器は、空調装置、洗濯機、給湯器、電気錠、インターホン（ドアホン）などの生活家電、テレビジョンセット、テレビジョン録画機などのオーディオ・ビジュアル機器などであってもよい。また、電子機器は、ゲーム機などのアミューズメント家電、パーソナルコンピュータなどの情報家電、太陽光発電関連機器などであってもよい。すなわち、電子機器は、広く家庭電化製品一般であってもよい。
【００１６】
[第１の実施形態]
図１は、第１の実施形態に係る家電機器制御システム１の構成例を示す図である。図１に示した家電機器制御システム１は、例えば、宅内に設置されている家電等の制御や監視を実現するシステムであり、ＨＥＭＳ（Home  Energy  Management  System）などと呼ばれる。かかる家電機器制御システム１は、例えば、ＨＥＭＳ標準プロトコルの「ＥＣＨＯＮＥＴ」や「ＥＣＨＯＮＥＴ  Ｌｉｔｅ」が適用される。
【００１７】
図１に示すように、家電機器制御システム１には、ホームネットワークシステム２と、ユーザ端末３と、管理サーバ４とが含まれる。ホームネットワークシステム２、ユーザ端末３及び管理サーバ４は、ネットワーク５を介して、有線又は無線により通信可能に接続される。かかるネットワーク５は、例えば、インターネットやイントラネットに該当する。なお、図１に示すホームネットワークシステム２、ユーザ端末３、管理サーバ４の数は、一例に過ぎず、家電機器制御システム１の構成に応じて適宜変更可能である。
【００１８】
ホームネットワークシステム２は、例えばユーザ宅内や店舗内などに構築され、ゲートウェイ装置１０、ユーザ端末２０、アクセスポイント３０、電子機器１００１〜１００３などを有する。なお、図１に示す電子機器１００１〜１００３の数は、一例に過ぎず、ホームネットワークシステム２の構成に応じて適宜変更可能である。
【００１９】
ゲートウェイ装置１０は、アクセスポイント３０と接続され、ホームネットワークシステム２を外部のネットワーク５に接続する通信機器である。図１の例では、ゲートウェイ装置１０は、ホームネットワークシステム２内のアクセスポイント３０と、ホームネットワークシステム２外のユーザ端末３や管理サーバ４とをネットワーク５を介して接続する。
【００２０】
ユーザ端末２０は、例えば、タブレット端末、ＰＣ（Personal  Computer）、携帯電話機、ＰＤＡ（Personal  Data  Assistance）などであり、無線ＬＡＮ（Local  Area  Network）や有線ＬＡＮなどを介してアクセスポイント３０に接続される。かかるユーザ端末２０は、ユーザ操作に従って電子機器１００１〜１００３に対する制御命令をアクセスポイント３０に送信したり、アクセスポイント３０から受信した電子機器１００１〜１００３に関する各種情報を表示したりする。
【００２１】
アクセスポイント３０は、Ｂｌｕｅｔｏｏｔｈなどの近距離無線規格や宅内ＬＡＮを用いて、ゲートウェイ装置１０、ユーザ端末２０及び電子機器１００１〜１００３と通信を行う。かかるアクセスポイント３０は、ユーザ端末２０から入力された各種制御命令を電子機器１００１〜１００３に送信したり、電子機器１００１〜１００３から受信した各種情報をユーザ端末２０に送信したりする。なお、アクセスポイント３０は、ゲートウェイ装置１０と一体となって形成されてもよい。
【００２２】
電子機器１００１〜１００３は、例えばユーザ宅内の天井などに設けられる照明器具である。電子機器１００１は、電子装置である照明装置１１０１と、通信装置である通信アダプタ１２０１とを具備する。かかる電子機器１００１は、照明装置１１０１に通信アダプタ１２０１が取り付けられることで形成される。同様に、電子機器１００２は、照明装置１１０２に通信アダプタ１２０２が取り付けられ、電子機器１００３は、照明装置１１０３に通信アダプタ１２０３が取り付けられる。
【００２３】
なお、以下では、電子機器１００１〜１００３を区別する必要がない場合には、単に「電子機器１００」と表記する場合がある。また、照明装置１１０１〜１１０３を区別する必要がない場合には、単に「照明装置１１０」と表記する場合がある。また、通信アダプタ１２０１〜１２０３を区別する必要がない場合には、単に「通信アダプタ１２０」と表記する場合がある。
【００２４】
照明装置１１０は、ユーザ操作に従って照明光の照度や色が調整可能な機能を有する。また、照明装置１１０は、通信アダプタ１２０を介して制御命令を受信すると、制御命令に従って所定の処理を実行する。例えば、制御命令が「照明装置をオンする」である場合、照明装置１１０は、自装置である照明装置１１０の電源をオンにする。また、制御命令が「照明装置の照度を８０％に設定する」である場合、照明装置１１０は、自装置の光源が発する光の照度を８０％に設定する。そして、照明装置１１０は、各種処理の実行結果を応答として、通信アダプタ１２０経由でアクセスポイント３０に送信する。また、照明装置１１０は、ユーザによって照明装置１１０のスイッチが操作され、スイッチの操作状態を示すパターンが後述の所定のパターンである場合には、ペアリングを行う指示を通信アダプタ１２０に送信する。
【００２５】
通信アダプタ１２０は、照明装置１１０とアクセスポイント３０との間で送受信される制御命令や応答を中継する。かかる通信アダプタ１２０は、ホームネットワークシステム２の施工業者やユーザによって照明装置１１０に取り付けられる。
【００２６】
このように、ホームネットワークシステム２を利用するユーザは、ユーザ端末２０を用いることで、アクセスポイント３０を介して電子機器１００を制御することができる。例えば、ユーザ端末２０が携帯電話機である場合、ユーザは、宅内で携帯電話機を操作するだけで、電子機器１００の動作を制御したり、電子機器１００の動作状況を監視したりすることができる。また、ユーザは、スイッチの操作状態を示すパターンが後述の所定のパターンとなるように、照明装置１１０のスイッチを操作することで、通信アダプタ１２０とアクセスポイント３０とのペアリングを行わせることができる。
【００２７】
また、図１において、ホームネットワークシステム２の外部に示したユーザ端末３は、例えば、携帯電話機、ＰＤＡ、タブレット端末、ＰＣなどであり、無線ＬＡＮや有線ＬＡＮなどを介してネットワーク５に接続される。かかるユーザ端末３は、ユーザ端末２０と同様に、ユーザ操作に従って電子機器１００に対する制御命令を管理サーバ４に送信したり、管理サーバ４から受信した電子機器１００に関する各種情報を表示したりする。
【００２８】
管理サーバ４は、ネットワーク５を介してユーザ端末３から受信した各種制御命令をアクセスポイント３０に送信する。これにより、アクセスポイント３０は、ホームネットワークシステム２の外部に位置するユーザ端末３から送信された制御命令を電子機器１００に送信する。また、管理サーバ４は、ネットワーク５を介してアクセスポイント３０から受信した電子機器１００に関する各種情報をユーザ端末３に送信する。これにより、ユーザ端末３は、ホームネットワークシステム２内に設置されている電子機器１００に関する各種情報を表示する。このように、ユーザ端末３のユーザは、ホームネットワークシステム２内に所在しない場合であっても、電子機器１００を制御することや、電子機器１００の動作状況を監視したりすることができる。
【００２９】
以下、第１の実施形態に係る電子機器１００について詳細に説明する。
【００３０】
［電子機器の構成］
図２は、第１の実施形態に係る電子機器１００の構成例を模式的に示す図である。図２に示すように、電子機器１００は、商用電源４１と接続される。また、電子機器１００と商用電源４１との間には、スイッチ４２が設けられる。商用電源４１は、例えば、電力会社等によって管理されており、一般家庭に電力を供給する。スイッチ４２は、宅内の壁などに設けられ、商用電源４１からの電力を電子機器１００に供給するか否かを切り替える。
【００３１】
例えば、ユーザによってスイッチ４２をオンにする操作が行われた場合、商用電源４１から電子機器１００に電力が供給される。これにより、電子機器１００内の照明装置１１０は点灯する。一方、ユーザによってスイッチ４２をオフにする操作が行われた場合、商用電源４１から電子機器１００への電力供給が停止する。これにより、電子機器１００内の照明装置１１０は消灯する。
【００３２】
ここで、ユーザは、通信アダプタ１２０にアクセスポイント３０とのペアリングを行わせる場合には、スイッチ４２の操作状態が所定のパターンとなるように、スイッチ４２をオンする操作及びオフにする操作を行う。ここで、所定のパターンの一例について図３を参照して説明する。図３は、所定のパターンの一例を示す図である。図３の例に示すように、所定のパターン４０は、スイッチ４２がオン（ＯＮ）されてから次にオンされるまでの時間Ｔ１秒が、所定時間α秒内であり、かつ、スイッチ４２が１回オンされてから所定回数β（例えば２０回）オンされるまでの時間Ｔ２秒が、所定時間γ秒以内であるようなパターンを指す。ここで、所定時間α秒の一例としては、１秒が挙げられる。また、所定時間γ秒の一例としては、２０秒が挙げられる。このような所定のパターンは、スイッチ４２の通常の操作における操作状態を示すパターンとは異なる特異なパターンである。
【００３３】
また、図３の例に示すように、所定のパターン４０は、最後がＯＮ（オン）となるようなパターンである。これは、所定のパターン４０の最後がＯＦＦ（オフ）となってしまうと、スイッチ４２がオフであるため通信アダプタ１２０に電力が供給されず、通信アダプタ１２０が動作せず、通信アダプタ１２０にペアリングを行わせることができなくなってしまうからである。そこで、本実施形態では、通信アダプタ１２０に確実にペアリングを行わせるために、最後がオンとなるようなパターンが所定のパターン４０として採用される。
【００３４】
図２の説明に戻り、電子機器１００の照明装置１１０は、電源回路１１１と、照明部１１２と、通信回路１１３と、電源監視回路１１４と、制御部１１５とを有する。
【００３５】
電源回路１１１は、商用電源４１から供給される電力から照明装置１１０の動作に要する電力を生成し、生成した電力を照明装置１１０内の各部（照明部１１２、通信回路１１３、電源監視回路１１４、制御部１１５）に供給する電力供給部である。照明部１１２は、ＬＥＤ（Light  Emitting  Diode）や電球等であり、室内等を照明する。通信回路１１３は、通信アダプタ１２０（より詳細には、後述する通信回路１２３）と接続され、通信アダプタ１２０との間で通信を行う。
【００３６】
電源監視回路１１４は、スイッチ４２がオン又はオフであるかを監視する。言い換えれば、電源監視回路１１４は、商用電源４１から照明装置１１０へ電力が供給されているか否かを監視する。そして、電源監視回路１１４は、スイッチ４２がオンからオフになったことを検知した場合や、スイッチ４２がオフからオンになったことを検知した場合に、検知結果を制御部１１５に通知する。
【００３７】
制御部１１５は、照明装置１１０全体を制御する。例えば、制御部１１５は、ＣＰＵ（Central  Processing  Unit）によって実現される。そして、制御部１１５は、照明装置１１０内部の図示しない記憶装置（例えば、ＲＯＭ（Read  Only  Memory））に記憶されているプログラムを実行することにより、照明装置１１０全体を制御する。なお、図２では、制御部１１５がＣＰＵによって実現される例を示したが、制御部１１５は、例えば、ＭＰＵ（Micro  Processing  Unit）等に実現されてもよいし、ＡＳＩＣ（Application  Specific  Integrated  Circuit）やＦＰＧＡ（Field  Programmable  Gate  Array）等の集積回路により実現されてもよい。
【００３８】
ここで、第１の実施形態に係る制御部１１５は、スイッチ４２の操作状態を示すパターンが上述した所定のパターンであることを検知した場合に、通信アダプタ１２０にアクセスポイント３０とのペアリングを行わせるように制御する。
【００３９】
この点について、図４を参照して説明する。図４は、第１の実施形態に係る照明装置１１０が有する制御部１１５の機能構成の一例を示す図である。図４に示すように、制御部１１５は、検知部１１６と、通信機器制御部１１７とを有する。
【００４０】
検知部１１６は、電源監視回路１１４から送信された検知結果を次々と受信する。そして、検知部１１６は、次々に受信した検知結果に基づいて、上述した所定時間γ秒だけ過去から現時点までのスイッチ４２の操作状態を示すパターンを所定時間間隔で生成する。そして、検知部１１６は、パターンを生成するたびに、生成したパターンが、上述した所定のパターンであるか否かを判定する。そして、検知部１１６は、生成したパターンが上述した所定のパターンであると判定した場合には、生成したパターンから上述した所定のパターンを検知し、所定のパターンを検知したことを通信機器制御部１１７に通知する。なお、検知部１１６は、次々に受信した検知結果が、互いのオンオフ間の時間が所定時間内であるものが連続して規定回数に達したか否かを判定し、互いのオンオフ間の時間が所定時間内であるものが連続して規定回数に達したと判定した場合に、上述した所定のパターンを検知し、所定のパターンを検知したことを通信機器制御部１１７に通知することもできる。
【００４１】
通信機器制御部１１７は、検知部１１６から所定のパターンを検知したことが通知されると、通信アダプタ１２０に、ペアリングを行うモード（ペアリングモード）に状態を遷移させる指示を送信する。これにより、アクセスポイント３０においてもペアリングモードに状態が遷移されている場合には、通信アダプタ１２０とアクセスポイント３０とでペアリングが行われる。これにより、通信アダプタ１２０は、アクセスポイント３０と通信を行うことが可能となる。このようにして、通信機器制御部１１７は、ネットワークパラメータを設定する。
【００４２】
図２の説明に戻り、電子機器１００の通信アダプタ１２０は、上記の通り、照明装置１１０とアクセスポイント３０との間で送受信される制御命令や応答を中継する。かかる通信アダプタ１２０は、図２に示すように、無線通信回路１２２と、通信回路１２３と、制御部１２４とを有する。
【００４３】
無線通信回路１２２は、アクセスポイント３０との間でＢｌｕｅｔｏｏｔｈなどの近距離無線規格によって近距離無線通信を行う。通信回路１２３は、照明装置１１０の通信回路１１３と接続され、照明装置１１０との間で通信を行う。このような無線通信回路１２２及び通信回路１２３は、アクセスポイント３０等を含むネットワークと、照明装置１１０との間で送受信されるデータを中継する通信部として機能する。
【００４４】
制御部１２４は、通信アダプタ１２０全体を制御する。具体的には、制御部１２４は、制御命令や応答の中継処理などを行う。かかる制御部１２４は、例えば、ＣＰＵによって実現される。そして、制御部１２４は、通信アダプタ１２０内部のＲＯＭ等に記憶されているプログラムを実行することにより、通信アダプタ１２０全体を制御する。なお、図２では、制御部１２４がＣＰＵによって実現される例を示したが、制御部１２４は、例えば、ＭＰＵ等に実現されてもよいし、ＡＳＩＣやＦＰＧＡ等の集積回路により実現されてもよい。
【００４５】
［制御部の処理手順］
次に、図５を用いて、照明装置１１０の制御部１１５の処理手順について説明する。図５は、第１の実施形態に係る照明装置の制御部が実行するネットワークパラメータ設定処理の流れを示すフローチャートである。ネットワークパラメータ設定処理は、例えば、検知部１１６によりスイッチ４２の操作状態を示すパターンが生成されるたびに実行される。
【００４６】
図５に示すように、制御部１１５の検知部１１６は、スイッチ４２の操作状態を示すパターンが、上述した所定のパターンであるか否かを判定する（ステップＳ１０１）。そして、検知部１１６は、スイッチ４２の操作状態を示すパターンが、上述した所定のパターンでないと判定した場合（ステップＳ１０１；Ｎｏ）には、再び、ステップＳ１０１の判定処理を行う。一方、スイッチ４２の操作状態を示すパターンが、上述した所定のパターンであると判定した場合（ステップＳ１０１；Ｙｅｓ）には、通信機器制御部１１７は、通信アダプタ１２０に、ペアリングを行うモード（ペアリングモード）に状態を遷移させる指示を送信し（ステップＳ１０２）、処理を終了する。
【００４７】
以上、説明したように、第１の実施形態に係る電子機器１００は、照明装置１１０と、通信アダプタ１２０とを具備する。照明装置１１０は、検知部１１６と通信機器制御部１１７を具備する。検知部１１６は、照明装置１１０に対する制御を行うためのスイッチ４２の操作状態を示すパターンから、所定のパターンを検知する。通信機器制御部１１７は、検知部１１６により所定のパターンが検知された場合には、ネットワークパラメータを設定するように、通信アダプタ１２０を制御する。通信アダプタ１２０は、無線通信回路１２２を具備する。無線通信回路１２２は、設定されたネットワークパラメータに基づいて他の通信アダプタと通信を行う。したがって、電子機器１００によれば、ユーザは、照明装置１１０を直接操作することなく、ユーザの手の届く範囲内にあるようなスイッチ４２を操作するだけでネットワークパラメータを設定することができる。それゆえ、電子機器１００によれば、容易にネットワークパラメータを設定することができる。
【００４８】
また、第１の実施形態に係る検知部１１６は、商用電源４１から電子機器１００への電力の供給を制御するためのスイッチ４２であって、壁に設けられたスイッチ４２の操作状態を示すパターンから、スイッチ４２の通常の操作における操作状態を示すパターンとは異なるような所定のパターンを検知する。それゆえ、検知部１１６は、ユーザによりスイッチ４２に対して通常の操作が行われたされた場合には、所定のパターンを検知しない。したがって、検知部１１６によれば、通常の操作が行われた場合に所定のパターンを検知してしまうような所定のパターンの誤検出を抑制することができる。
【００４９】
また、第１の実施形態に係る通信機器制御部１１７は、検知部１１６により所定のパターンが検知された場合には、ペアリングを行う指示を通信装置である通信アダプタ１２０に送信する。そして、無線通信回路１２２は、ペアリングの結果に基づいて他の通信アダプタと通信を行う。
【００５０】
また、第１の実施形態に係る所定のパターンは、最後がオンとなるようなパターンである。これにより、第１の実施形態では、所定のパターンが検出された場合に、通信アダプタ１２０に電力が供給されることとなる。したがって、第１の実施形態によれば、通信アダプタ１２０に確実にペアリングを行わせることができる。
【００５１】
また、ユーザが、通信アダプタ１２０にアクセスポイント３０とのペアリングを行わせる場合に、スイッチ４２の操作状態が所定のパターンとなるように、スイッチ４２をオンする操作及びオフにする操作を行う場合について説明した。しかしながら、ユーザが、通信アダプタ１２０にアクセスポイント３０とのペアリングを行わせる場合に、スイッチ４２の操作状態が第１のパターンとなり、かつ、位相制御調光スイッチ（図示せず）の操作状態が、第２のパターンとなるように、スイッチ４２及び位相制御調光スイッチをオンする操作及びオフする操作をすることもできる。ここで、位相制御調光スイッチは、スイッチ４２と同様に壁に設けられている。また、位相制御調光スイッチは、照明部１１２に流れる電流を変化させるために、照明部１１２に流れる電流の導通位相角を制御するためのスイッチである。すなわち、位相制御調光スイッチは、照明部１１２の調光率を制御するためのスイッチである。位相制御調光スイッチは、制御部１１５に接続されており、位相制御調光スイッチの操作状態（オン及びオフ）を制御部１１５に出力する。なお、制御部１１５は、位相制御調光スイッチの操作状態に基づいて、所定時間間隔で、位相制御調光スイッチの操作状態を示すパターンを生成する。ここで、第１のパターンは、上述した所定のパターンであり、第２のパターンは、調光率が連続して０の状態であることを示すパターンである。この場合、検知部１１６は、スイッチ４２の操作状態を示すパターン及び位相制御調光スイッチの操作状態を示すパターンを生成するたびに、次の処理を行う。すなわち、検知部１１６は、生成したスイッチ４２の操作状態を示すパターンが、上述した第１のパターンであり、かつ、位相制御調光スイッチの操作状態を示すパターンが、上述した第２のパターンであるか否かを判定する。そして、検知部１１６は、生成したスイッチ４２の操作状態を示すパターンが、上述した第１のパターンであり、かつ、位相制御調光スイッチの操作状態を示すパターンが、上述した第２のパターンであると判定した場合には、生成した２つのパターンから上述した第１のパターン及び第２のパターンを検知し、第１のパターン及び第２のパターンを検知したことを通信機器制御部１１７に通知する。そして、通信機器制御部１１７は、検知部１１６から第１のパターン及び第２のパターンを検知したことが通知されると、通信アダプタ１２０に、ペアリングを行うモード（ペアリングモード）に状態を遷移させる指示を送信する。
【００５２】
[第２の実施形態]
次に、第２の実施形態について説明する。第２の実施形態に係る電子機器は、リモートコントローラの操作状態を示すパターンが後述する所定のパターンであることを検知した場合に、通信アダプタ１２０にアクセスポイント３０とのペアリングを行わせるように制御する。なお、第２の実施形態において、第１の実施形態と同一の機器や装置などには同一の符号を付し、重複する説明を省略する。
【００５３】
図６は、第２の実施形態に係る家電機器制御システム１の構成例を示す図である。第２の実施形態に係る家電機器制御システム１には、ホームネットワークシステム５０と、ユーザ端末３と、管理サーバ４とが含まれる。
【００５４】
ホームネットワークシステム５０は、電子機器２００１〜２００３と、ゲートウェイ装置１０と、ユーザ端末２０と、アクセスポイント３０とを有する。なお、図６に示す電子機器２００１〜２００３の数は、一例に過ぎず、ホームネットワークシステム５０の構成に応じて適宜変更可能である。
【００５５】
電子機器２００１〜２００３は、例えばユーザ宅内の天井などに設けられる照明器具である。電子機器２００１は、電子装置である照明装置２１０１と、通信アダプタ１２０１とを具備する。かかる電子機器２００１は、照明装置２１０１に通信アダプタ１２０１が取り付けられることで形成される。同様に、電子機器２００２は、照明装置２１０２に通信アダプタ１２０２が取り付けられ、電子機器２００３は、照明装置２１０３に通信アダプタ１２０３が取り付けられる。
【００５６】
なお、以下では、電子機器２００１〜２００３を区別する必要がない場合には、単に「電子機器２００」と表記する場合がある。また、照明装置２１０１〜２１０３を区別する必要がない場合には、単に「照明装置２１０」と表記する場合がある。
【００５７】
照明装置２１０は、ユーザ操作に従って照明光の照度や色が調整可能な機能を有する。また、照明装置２１０は、通信アダプタ１２０を介して制御命令を受信すると、制御命令に従って所定の処理を実行する。例えば、制御命令が「照明装置をオンする」である場合、照明装置２１０は、自装置である照明装置２１０の電源をオンにする。また、制御命令が「照明装置の照度を８０％に設定する」である場合、照明装置２１０は、自装置の光源が発する光の照度を８０％に設定する。そして、照明装置２１０は、各種処理の実行結果を応答として、通信アダプタ１２０経由でアクセスポイント３０に送信する。また、照明装置２１０は、ユーザによって照明装置２１０の後述のリモートコントローラが操作され、リモートコントローラの操作状態を示すパターンが後述の所定のパターンである場合には、ペアリングを行う指示を通信アダプタ１２０に送信する。したがって、ユーザは、リモートコントローラの操作状態を示すパターンが後述の所定のパターンとなるように、照明装置２１０のリモートコントローラを操作することで、通信アダプタ１２０とアクセスポイント３０とのペアリングを行わせることができる。
【００５８】
ここで、第２の実施形態に係るリモートコントローラについて説明する。図７は、第２の実施形態に係るリモートコントローラの一例を示す図である。図７の例に示すように、リモートコントローラ５００は、最大限の明るさで照明装置２１０を点灯させるための全光ボタン５０１、照明装置２１０を消灯させるための消灯ボタン５０２を有する。また、リモートコントローラ５００は、照明装置２１０の明るさを上げるための明るさ調整ボタン５０３、照明装置２１０の明るさを下げるための明るさ調整ボタン５０４を有する。また、リモートコントローラ５００は、照明装置２１０が発する光に含まれる各色の光のうち、青色の光を多くするための光色調整ボタン５０５、黄色の光を多くするための光色調整ボタン５０６を有する。
【００５９】
全光ボタン５０１がユーザにより押下されると、リモートコントローラ５００は、全光ボタン５０１が押下されたことを示す信号を出力する。同様に、その他のボタンについても、ユーザにより押下されると、リモートコントローラ５００は、ボタンが押下されたことを示す信号を出力する。
【００６０】
ここで、ユーザは、通信アダプタ１２０にアクセスポイント３０とのペアリングを行わせる場合には、リモートコントローラ５００のボタン、例えば、全光ボタン５０１の操作状態が所定のパターンとなるように、全光ボタン５０１をオンする操作（全光ボタン５０１を押下する操作）を行う。ここで、所定のパターンの一例について図８を参照して説明する。図８は、所定のパターンの一例について示す図である。図８の例に示すように、所定のパターン４１は、全光ボタン５０１がオン（ＯＮ）されてから次にオンされるまでの時間Ｔ３秒が、所定時間ε秒内であり、かつ、全光ボタン５０１が１回オンされてから所定回数ζ（例えば２０回）オンされるまでの時間Ｔ４秒が、所定時間η秒以内であるようなパターンを指す。ここで、所定時間ε秒の一例としては、１秒が挙げられる。また、所定時間η秒の一例としては、２０秒が挙げられる。このような所定のパターンは、全光ボタン５０１の通常の操作における操作状態を示すパターンとは異なる特異なパターンである。
【００６１】
また、図８の例に示すように、所定のパターン４１は、最後がＯＮ（オン）となるようなパターンである。これは、所定のパターン４１の最後がＯＦＦ（オフ）となってしまうと、スイッチ４２がオフであるため通信アダプタ１２０に電力が供給されず、通信アダプタ１２０が動作せず、通信アダプタ１２０にペアリングを行わせることができなくなってしまうからである。そこで、本実施形態においても、第１の実施形態と同様に、通信アダプタ１２０に確実にペアリングを行わせるために、最後がオンとなるようなパターンが所定のパターン４１として採用される。
【００６２】
次に、第２の実施形態に係る電子機器２００について詳細に説明する。
【００６３】
［電子機器の構成］
図９は、第２の実施形態に係る電子機器２００の構成例を模式的に示す図である。図９に示すように、電子機器２００は、照明装置２１０及び通信アダプタ１２０を具備する。照明装置２１０は、電源回路１１１と、照明部１１２と、通信回路１１３と、電源監視回路１１４と、受信機２１１と、制御部２１２とを有する。
【００６４】
受信機２１１は、電源回路１１１から供給される電力によって動作し、リモートコントローラ５００から送信される信号を受信する。受信機２１１は、例えば、照明装置１１０における照明光の明るさを最大限の明るさに設定することを示す信号や、照明光の照度や色を変更することを示す信号などの各種の信号を受信する。そして、受信機２１１は、信号を受信するたびに、受信した信号を制御部２１２に送信する。
【００６５】
制御部２１２は、照明装置２１０全体を制御する。例えば、制御部２１２は、ＣＰＵによって実現される。そして、制御部２１２は、照明装置２１０内部の図示しない記憶装置に記憶されているプログラムを実行することにより、照明装置２１０全体を制御する。なお、図９では、制御部２１２がＣＰＵによって実現される例を示したが、制御部２１２は、例えば、ＭＰＵ等に実現されてもよいし、ＡＳＩＣやＦＰＧＡ等の集積回路により実現されてもよい。
【００６６】
ここで、第２の実施形態に係る制御部２１２は、全光ボタン５０１の操作状態を示すパターンが上述した所定のパターンであることを検知した場合に、通信アダプタ１２０にアクセスポイント３０とのペアリングを行わせるように制御する。
【００６７】
この点について、図１０を参照して説明する。図１０は、第２の実施形態に係る照明装置２１０が有する制御部２１２の機能構成の一例を示す図である。図１０に示すように、制御部２１２は、検知部２１３と、通信機器制御部２１４とを有する。
【００６８】
検知部２１３は、受信機２１１から送信された全光ボタン５０１が押下されたことを示す信号を次々と受信する。そして、検知部２１３は、次々に受信した全光ボタン５０１が押下されたことを示す信号に基づいて、上述した所定時間η秒だけ過去から現時点までの全光ボタン５０１の操作状態を示すパターンを所定時間間隔で生成する。そして、検知部２１３は、パターンを生成するたびに、生成したパターンが、上述した所定のパターンであるか否かを判定する。そして、検知部２１３は、生成したパターンが上述した所定のパターンであると判定した場合には、生成したパターンから上述した所定のパターンを検知し、所定のパターンを検知したことを通信機器制御部２１４に通知する。
【００６９】
通信機器制御部２１４は、検知部２１３から所定のパターンを検知したことが通知されると、通信アダプタ１２０に、ペアリングを行うモード（ペアリングモード）に状態を遷移させる指示を送信する。これにより、アクセスポイント３０においてもペアリングモードに状態が遷移されている場合には、通信アダプタ１２０とアクセスポイント３０とでペアリングが行われる。これにより、通信アダプタ１２０は、アクセスポイント３０と通信を行うことが可能となる。このようにして、通信機器制御部２１４は、ネットワークパラメータを設定する。
【００７０】
［制御部の処理手順］
次に、図１１を用いて、照明装置２１０の制御部２１２の処理手順について説明する。図１１は、第２の実施形態に係る照明装置の制御部が実行するネットワークパラメータ設定処理の流れを示すフローチャートである。ネットワークパラメータ設定処理は、例えば、検知部２１３により全光ボタン５０１の操作状態を示すパターンが生成されるたびに実行される。
【００７１】
図１１に示すように、制御部２１２の検知部２１３は、全光ボタン５０１の操作状態を示すパターンが、上述した所定のパターンであるか否かを判定する（ステップＳ２０１）。そして、検知部２１３は、全光ボタン５０１の操作状態を示すパターンが、上述した所定のパターンでないと判定した場合（ステップＳ２０１；Ｎｏ）には、再び、ステップＳ２０１の判定処理を行う。一方、全光ボタン５０１の操作状態を示すパターンが、上述した所定のパターンであると判定した場合（ステップＳ２０１；Ｙｅｓ）には、通信機器制御部２１４は、通信アダプタ１２０に、ペアリングを行うモード（ペアリングモード）に状態を遷移させる指示を送信し（ステップＳ２０２）、処理を終了する。
【００７２】
以上、説明したように、第２の実施形態に係る電子機器２００は、照明装置２１０と、通信アダプタ１２０とを具備する。照明装置２１０は、検知部２１３と通信機器制御部２１４を具備する。検知部２１３は、照明装置２１０に対する制御を行うための全光ボタン５０１の操作状態を示すパターンから、所定のパターンを検知する。通信機器制御部２１４は、検知部２１３により所定のパターンが検知された場合には、ネットワークパラメータを設定するように、通信アダプタ１２０を制御する。通信アダプタ１２０は、無線通信回路１２２を具備する。無線通信回路１２２は、設定されたネットワークパラメータに基づいて他の通信アダプタと通信を行う。したがって、電子機器２００によれば、ユーザは、照明装置２１０を直接操作することなく、ユーザの手の届く範囲内にあるようなリモートコントローラ５００の全光ボタン５０１を操作するだけでネットワークパラメータを設定することができる。それゆえ、電子機器２００によれば、容易にネットワークパラメータを設定することができる。
【００７３】
また、第２の実施形態に係る検知部２１３は、電子装置２１０へ指示を送信するリモートコントローラ５００に設けられた全光ボタン５０１の操作状態を示すパターンから、全光ボタン５０１の通常の操作における操作状態を示すパターンとは異なるような所定のパターンを検知する。それゆえ、検知部２１３は、ユーザにより全光ボタン５０１に対して通常の操作が行われたされた場合には、所定のパターンを検知しない。したがって、検知部２１３によれば、通常の操作が行われた場合に所定のパターンを検知してしまうような所定のパターンの誤検出を抑制することができる。
【００７４】
また、第２の実施形態に係る通信機器制御部２１４は、検知部２１３により所定のパターンが検知された場合には、ペアリングを行う指示を通信装置である通信アダプタ１２０に送信する。そして、無線通信回路１２２は、ペアリングの結果に基づいて他の通信アダプタと通信を行う。
【００７５】
また、第２の実施形態に係る所定のパターンは、最後がオンとなるようなパターンである。これにより、第２の実施形態では、所定のパターンが検出された場合に、通信アダプタ１２０に電力が供給されることとなる。したがって、第２の実施形態によれば、通信アダプタ１２０に確実にペアリングを行わせることができる。
【００７６】
[第３の実施形態]
次に、第３の実施形態について説明する。第３の実施形態に係る電子機器は、第１の実施形態及び第２の実施形態と同様の方法で、スイッチ４２や全光ボタン５０１の操作状態を示すパターンが上述した各種の所定のパターンであることを検知した場合に、ホームネットワークシステム内の全ての電子機器の仮のアドレスを設定する。なお、第３の実施形態において、第１の実施形態及び第２の実施形態と同一の機器や装置などには同一の符号を付し、重複する説明を省略する。
【００７７】
図１２は、第３の実施形態に係る家電機器制御システム１の構成例を示す図である。第３の実施形態に係る家電機器制御システム１には、ホームネットワークシステム６０と、ユーザ端末３と、管理サーバ４とが含まれる。
【００７８】
ホームネットワークシステム６０は、電子機器３００１〜３００３と、ゲートウェイ装置１０と、ユーザ端末２０と、アクセスポイント３０とを有する。なお、図１２に示す電子機器３００１〜３００３の台数は、３台であるが、これは、一例に過ぎず、ホームネットワークシステム６０の構成に応じて適宜変更可能である。
【００７９】
電子機器３００１〜３００３は、例えばユーザ宅内の天井などに設けられる照明器具である。電子機器３００１は、電子装置である照明装置３１０１を具備する。同様に、電子機器３００３は、電子装置である照明装置３１０３を具備する。また、電子機器３００２は、電子装置である照明装置３１０２と、通信アダプタ１２０とを具備する。かかる電子機器３００２は、照明装置３１０２に通信アダプタ１２０が取り付けられることで形成される。
【００８０】
なお、以下では、電子機器３００１〜３００３を区別する必要がない場合には、単に「電子機器３００」と表記する場合がある。また、照明装置３１０１〜３１０３を区別する必要がない場合には、単に「照明装置３１０」と表記する場合がある。
【００８１】
第３の実施形態では、各電子機器３００の各照明装置３１０が互いに通信可能であり、通信アダプタ１２０を介して、各照明装置３１０とアクセスポイント３０との通信が行われる。
【００８２】
照明装置３１０は、第１の実施形態に係る照明装置１１０が有する機能、及び、第２の実施形態に係る照明装置２１０が有する機能の両機能を有する。これに加えて、照明装置３００は、第１の実施形態及び第２の実施形態と同様の方法で、スイッチ４２や全光ボタン５０１の操作状態を示すパターンが上述した各種の所定のパターンであることを検知した場合に、ホームネットワークシステム６０内の全ての電子機器３００の仮のアドレスを設定する。
【００８３】
次に、第３の実施形態に係る電子機器３００について詳細に説明する。
【００８４】
［電子機器の構成］
図１３は、第２の実施形態に係る電子機器３００の構成例を模式的に示す図である。図１３に示すように、電子機器３００は、照明装置３１０及び通信アダプタ１２０を具備する。照明装置３１０は、電源回路１１１と、照明部１１２と、通信回路１１３と、電源監視回路１１４と、受信機２１１と、制御部３１２とを有する。
【００８５】
制御部３１２は、照明装置３１０全体を制御する。例えば、制御部３１２は、ＣＰＵによって実現される。そして、制御部３１２は、照明装置３１０内部の図示しない記憶装置に記憶されているプログラムを実行することにより、照明装置３１０全体を制御する。なお、図１３では、制御部３１２がＣＰＵによって実現される例を示したが、制御部３１２は、例えば、ＭＰＵ等に実現されてもよいし、ＡＳＩＣやＦＰＧＡ等の集積回路により実現されてもよい。
【００８６】
ここで、第２の実施形態に係る制御部３１２は、第１の実施形態及び第２の実施形態と同様の方法で、スイッチ４２や全光ボタン５０１の操作状態を示すパターンが上述した各種の所定のパターンであることを検知した場合に、ホームネットワークシステム６０内の全ての電子機器３００の仮のアドレスを設定する。
【００８７】
この点について、図１４を参照して説明する。図１４は、第３の実施形態に係る照明装置３１０が有する制御部３１２の機能構成の一例を示す図である。図１４に示すように、制御部３１２は、検知部３１３と、通信機器制御部３１４とを有する。
【００８８】
検知部３１３は、第１の実施形態に係る検知部１１６が有する機能、及び、第２の実施形態に係る検知部２１３が有する機能の両機能を有する。すなわち、検知部３１３は、第１の実施形態及び第２の実施形態と同様の方法で生成したパターンが上述した各種の所定のパターンであると判定した場合には、生成したパターンから上述した所定のパターンを検知し、所定のパターンを検知したことを通信機器制御部３１４に通知する。
【００８９】
通信機器制御部３１４は、検知部３１３から所定のパターンを検知したことが通知されると、ホームネットワークシステム６０内の全ての電子機器３００の仮のアドレスを設定する。具体的には、通信機器制御部３１４は、まず、電子機器３００ごとに、「０」から「２５５」までの乱数ｋを発生させる。そして、通信機器制御部３１４は、発生された乱数を仮のアドレスとして、電子機器３００を識別するためのＩＤ（Identification）と対応付けてアドレステーブルに登録する。
【００９０】
かかるアドレステーブルについて説明する。図１５は、アドレステーブルのデータ構造の一例を示す図である。図１５の例は、通信機器制御部３１４によってＩＤ「３００１」によって識別される電子機器３００１に対応付けて仮のアドレス「２５１」がアドレステーブルに登録された場合を示す。また、図１５の例は、通信機器制御部３１４によってＩＤ「３００２」によって識別される電子機器３００２に対応付けて仮のアドレス「７」がアドレステーブルに登録された場合を示す。また、図１５の例は、通信機器制御部３１４によってＩＤ「３００３」によって識別される電子機器３００３に対応付けて仮のアドレス「１８３」がアドレステーブルに登録された場合を示す。
【００９１】
［制御部の処理手順］
次に、図１６を用いて、照明装置３１０の制御部３１２の処理手順について説明する。図１６は、第３の実施形態に係る照明装置の制御部が実行するネットワークパラメータ設定処理の流れを示すフローチャートである。ネットワークパラメータ設定処理は、例えば、検知部３１３によりパターンが生成されるたびに実行される。
【００９２】
図１６に示すように、制御部３１２の検知部３１３は、スイッチ４２の操作状態を示すパターンが、所定のパターンであるか否かを判定する（ステップＳ３０１）。そして、検知部３１２は、スイッチ４２の操作状態を示すパターンが、所定のパターンでないと判定した場合（ステップＳ３０１；Ｎｏ）には、全光ボタン５０１の操作状態を示すパターンが、所定のパターンであるか否かを判定する（ステップＳ３０２）。そして、検知部３１３は、全光ボタン５０１の操作状態を示すパターンが、所定のパターンでないと判定した場合（ステップＳ３０２；Ｎｏ）には、ステップＳ３０１に戻って、Ｓ３０１の判定処理を行う。
【００９３】
一方、全光ボタン５０１の操作状態を示すパターンが所定のパターンであると判定した場合（ステップＳ３０２；Ｙｅｓ）やスイッチ４２の操作状態を示すパターンが、所定のパターンであると判定した場合（ステップＳ３０１；Ｙｅｓ）には、通信機器制御部３１４は、次の処理を行う。すなわち、通信機器制御部３１４は、変数ｉの値に「０」を設定して、変数ｉの値を初期化する（ステップＳ３０３）。
【００９４】
そして、通信機器制御部３１４は、変数ｉの値が、ホームネットワークシステム６０内の電子機器３００の台数Ｎよりも小さいか否かを判定する（ステップＳ３０４）。小さいと判定した場合（ステップＳ３０４；Ｙｅｓ）には、通信機器制御部３１４は、変数ｉの値を１インクリメントする（ステップＳ３０５）。そして、通信機器制御部３１４は、「０」から「２５５」までの乱数ｋを発生させる（ステップＳ３０６）。
【００９５】
そして、通信機器制御部３１４は、発生された乱数ｋを仮のアドレスとして、電子機器３００を識別するためのＩＤ（Identification）と対応付けてアドレステーブルに登録する。具体的には、アドレステーブルには、予めＮ台の電子機器３００のそれぞれのＩＤが登録されており、通信機器制御部３１４は、アドレステーブルのｉ番目の電子機器のＩＤに対応するように乱数ｋを登録する（ステップＳ３０７）。そして、通信機器制御部３１４は、Ｓ３０４に戻り、Ｓ３０４の処理を再び実行する。
【００９６】
一方、変数ｉの値が、ホームネットワークシステム６０内の電子機器３００の台数Ｎ以上と判定した場合（ステップＳ３０４；Ｎｏ）には、通信機器制御部３１４は、Ｎ台の電子機器のそれぞれの仮のアドレスが登録されたアドレステーブルを、ホームネットワークシステム６０内の全ての照明装置３１０に送信する（ステップＳ３０８）。これにより、全ての照明装置３１０の通信回路１１３のそれぞれが、アドレステーブルに登録された仮のアドレスを用いて、他の照明装置３１０の通信回路１１３との通信を行うことができる。
【００９７】
以上、説明したように、第３の実施形態に係る電子機器３００は、照明装置３１０と、通信アダプタ１２０とを具備する。照明装置３１０は、検知部３１３と通信機器制御部３１４を具備する。検知部３１３は、照明装置３１０に対する制御を行うためのスイッチ４２及び全光ボタン５０１の操作状態を示すパターンから、所定のパターンを検知する。通信機器制御部３１４は、検知部３１３により所定のパターンが検知された場合には、ネットワークパラメータを設定するように、通信アダプタ１２０を制御する。通信アダプタ１２０は、無線通信回路１２２を具備する。無線通信回路１２２は、設定されたネットワークパラメータに基づいて他の通信アダプタと通信を行う。したがって、電子機器３００によれば、ユーザは、照明装置３１０を直接操作することなく、ユーザの手の届く範囲内にあるようなスイッチ４２やリモートコントローラ５００の全光ボタン５０１を操作するだけでネットワークパラメータを設定することができる。それゆえ、電子機器３００によれば、容易にネットワークパラメータを設定することができる。
【００９８】
また、第３の実施形態に係る検知部３１３は、商用電源４１から電子機器３００への電力の供給を制御するためのスイッチ４２であって、壁に設けられたスイッチ４２の操作状態を示すパターンから、スイッチ４２の通常の操作における操作状態を示すパターンとは異なるような所定のパターンを検知する。それゆえ、検知部３１３は、ユーザによりスイッチ４２に対して通常の操作が行われたされた場合には、所定のパターンを検知しない。したがって、検知部３１３によれば、通常の操作が行われた場合に所定のパターンを検知してしまうような所定のパターンの誤検出を抑制することができる。
【００９９】
また、第３の実施形態に係る検知部３１３は、電子装置３１０へ指示を送信するリモートコントローラ５００に設けられた全光ボタン５０１の操作状態を示すパターンから、全光ボタン５０１の通常の操作における操作状態を示すパターンとは異なるような所定のパターンを検知する。それゆえ、検知部３１３は、ユーザにより全光ボタン５０１に対して通常の操作が行われたされた場合には、所定のパターンを検知しない。したがって、検知部３１３によれば、通常の操作が行われた場合に所定のパターンを検知してしまうような所定のパターンの誤検出を抑制することができる。
【０１００】
また、第３の実施形態に係る通信機器制御部３１４は、検知部３１３により所定のパターンが検知された場合には、ペアリングを行う指示を通信装置である通信アダプタ１２０に送信する。そして、無線通信回路１２２は、ペアリングの結果に基づいて他の通信アダプタと通信を行う。
【０１０１】
また、第３の実施形態に係る照明装置３１０は、他の電子機器との通信を行う第２の通信部である通信回路１１３を具備する。また、通信機器制御部３１４は、検知部３１３により所定のパターンが検知された場合には、電子機器３１０及び他の電子機器のそれぞれについて、乱数を発生させ、発生された乱数を仮のアドレスとして設定し、設定された仮のアドレスを通信回路１１３に送信する。通信回路１１３は、通信機器制御部３１４から送信された仮のアドレスに基づいて他の電子機器と通信を行う。したがって、電子機器３００によれば、ユーザは、照明装置３１０を直接操作することなく、ユーザの手の届く範囲内にあるようなスイッチ４２やリモートコントローラ５００の全光ボタン５０１を操作するだけで、仮のアドレスというネットワークパラメータを設定することができる。それゆえ、電子機器３００によれば、容易にネットワークパラメータを設定することができる。
【０１０２】
また、第３の実施形態に係る所定のパターンは、最後がオンとなるようなパターンである。これにより、第３の実施形態では、所定のパターンが検出された場合に、通信アダプタ１２０に電力が供給されることとなる。したがって、第３の実施形態によれば、通信アダプタ１２０に確実にペアリングを行わせることができる。
【０１０３】
以上説明したとおり、上記各実施形態によれば、容易にネットワークパラメータを設定することができる。
【０１０４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０５】
１  家電機器制御システム
２  ホームネットワークシステム
４１  商用電源
４２  スイッチ
１００  電子機器
１１０  照明装置
１１１  電源回路
１１２  照明部
１１３  通信回路
１１４  ＲＡＭ
１１５  不揮発性メモリ
１１６  電源監視回路
１１７  制御部
１１８  照明制御部
１１９  退避部
１２０  通信アダプタ
１２１  電源回路
１２２  無線通信回路
１２３  通信回路
１２４  制御部
【図１】
2014179801.tif 000003
【図２】
2014179801.tif 000004
【図３】
2014179801.tif 000005
【図４】
2014179801.tif 000006
【図５】
2014179801.tif 000007
【図６】
2014179801.tif 000008
【図７】
2014179801.tif 000009
【図８】
2014179801.tif 000010
【図９】
2014179801.tif 000011
【図１０】
2014179801.tif 000012
【図１１】
2014179801.tif 000013
【図１２】
2014179801.tif 000014
【図１３】
2014179801.tif 000015
【図１４】
2014179801.tif 000016
【図１５】
2014179801.tif 000017
【図１６】
2014179801.tif 000018